(57)【特許請求の範囲】
【請求項１】
所定のフォルダ内に格納された音声データから、再生装置に転送する音声データを選択する選択手段と、
前記選択手段により選択された音声データが格納されたフォルダ内に画像データが存在するか否かを判別する判別手段と、
前記判別手段により画像データが存在すると判別された場合に、前記フォルダ内に複数の画像データが存在するか否かを検出する検出手段と、
前記検出手段により複数の画像データが存在すると検出された場合に、予め定められた条件で１つの画像データを抽出する抽出手段と、
前記選択手段により選択された音声データと前記抽出手段により抽出された画像データとを対応付ける対応付け手段と、
前記対応付け手段により対応付けられた音声データ及び画像データを前記再生装置に転送する転送手段と、
を備えることを特徴とするデータ転送装置。
【請求項２】
前記抽出手段は、更新日時が最も新しい画像データを抽出することを特徴とする請求項１に記載のデータ転送装置。
【請求項３】
前記抽出手段は、所定のファイル形式の画像データを優先して抽出することを特徴とする請求項１に記載のデータ転送装置。
【請求項４】
前記抽出手段は、前記優先して抽出するファイル形式の画像データが存在しない場合に、更新日時が最も新しい画像データを抽出することを特徴とする請求項３に記載のデータ転送装置。
【請求項５】
データ転送装置と、前記データ転送装置に接続された再生装置と、からなるデータ転送再生システムであって、
前記データ転送装置は、
所定のフォルダ内に格納された音声データから、再生装置に転送する音声データを選択する選択手段と、
前記選択手段により選択された音声データが格納されたフォルダ内に画像データが存在するか否かを判別する判別手段と、
前記判別手段により画像データが存在すると判別された場合に、前記フォルダ内に複数の画像データが存在するか否かを検出する検出手段と、
前記検出手段により複数の画像データが存在すると検出された場合に、予め定められた条件で１つの画像データを抽出する抽出手段と、
前記選択手段により選択された音声データと前記抽出手段により抽出された画像データとを対応付ける対応付け手段と、
前記対応付け手段により対応付けられた音声データ及び画像データを前記再生装置に転送する転送手段と、を備え、
前記再生装置は、
前記音声データの再生を行うと共に前記音声データに対応付けられた前記画像データの再生を行う再生処理手段を備えることを特徴とするデータ転送再生システム。
【請求項６】
所定のフォルダ内に格納された音声データから、再生装置に転送する音声データを選択するステップと、
前記選択された音声データが格納されたフォルダ内に画像データが存在するか否かを判別するステップと、
前記画像データが存在すると判別された場合に、前記フォルダ内に複数の画像データが存在するか否かを検出するステップと、
前記複数の画像データが存在すると検出された場合に、予め定められた条件で１つの画像データを抽出するステップと、
前記選択された音声データと前記抽出された画像データとを対応付けるステップと、
前記対応付けられた音声データ及び画像データを前記再生装置に転送するステップと、
を含むことを特徴とするデータ転送方法。
【請求項７】
データ転送装置が、
所定のフォルダ内に格納された音声データから、再生装置に転送する音声データを選択するステップと、
前記選択された音声データが格納されたフォルダ内に画像データが存在するか否かを判別するステップと、
前記画像データが存在すると判別された場合に、前記フォルダ内に複数の画像データが存在するか否かを検出するステップと、
前記複数の画像データが存在すると検出された場合に、予め定められた条件で１つの画像データを抽出するステップと、
前記選択された音声データと前記抽出された画像データとを対応付けるステップと、
前記対応付けられた音声データ及び画像データを前記再生装置に転送するステップと、を実行し、
前記再生装置が、
転送された前記音声データの再生を行うと共に前記音声データに対応付けられた前記画像データの再生を行うステップを実行することを特徴とするデータ転送再生方法。
【請求項８】
コンピュータを、
所定のフォルダ内に格納された音声データから、再生装置に転送する音声データを選択する選択手段、
前記選択手段により選択された音声データが格納されたフォルダ内に画像データが存在するか否かを判別する判別手段、
前記判別手段により画像データが存在すると判別された場合に、前記フォルダ内に複数の画像データが存在するか否かを検出する検出手段、
前記検出手段により複数の画像データが存在すると検出された場合に、予め定められた条件で１つの画像データを抽出する抽出手段、
前記選択手段により選択された音声データと前記抽出手段により抽出された画像データとを対応付ける対応付け手段、
前記対応付け手段により対応付けられた音声データ及び画像データを前記再生装置に転送する転送手段、
として機能させることを特徴とするプログラム。
【発明の詳細な説明】
【技術分野】
【０００１】
本発明はデータ転送装置、データ転送再生システム、データ転送方法、データ転送再生方法及びプログラムに係り、特に、音声データと、この音声データに関連する画像データとを再生装置に転送するデータ転送装置、データ転送再生システム、データ転送方法、データ転送再生方法及びプログラムに関する。
【背景技術】
【０００２】
近年、ハードディスクやフラッシュメモリ等の記録媒体を備え、音楽等の音声データを記憶して楽曲等の記録や再生を行う携帯型の記録再生装置が急速に普及している。小型、軽量で携帯性があり且つ記憶容量が大容量であるという優れた特徴を有する。この記憶容量の大容量化に伴い、音声データのみならずそれに関連する画像データ等の各種の付加情報を共に記録する記録再生装置が近年開発されている。例えば、図１７に従来からの携帯型記録再生装置１１０を示す。携帯型記録再生装置１１０では、音声データや画像データ等をハードディスク等の記録媒体に記録し、曲の選択時や再生中にこれに関連する画像を表示モニタ１１１に表示する。具体的には、表示モニタ１１１上に音声データの曲名（「○○の歌」１１２）、アーティスト名（「アーティストＡ」１１３）等をはじめ、アーティストの肖像、従来のレコードジャケットに相当するジャケット画像１１４（あるいは、楽曲をイメージした動画像あるいはユーザ自身がデジタルカメラ等で撮像した電子画像の画像データ等）を表示する。
【０００３】
記録再生装置に音声データや画像データを転送する場合、一般にデータ転送装置としてＰＣ（Personal  Computer）等を用いて行う。即ち、ＰＣに予めＣＤ−ＤＡ（Compact Disc−Digital Audio）等の外部記録媒体や、ユーザが撮像したデジタルカメラや、インターネット等のネットワーク環境を通じたダウンロードにより音声データ及びそれに関連する画像データを取得取得する。その後、データ転送アプリケーションソフトウェアを用いて所望する音声データファイル等を選択して記録再生装置に転送する。このようなデータ転送に関する技術として、例えば、特許文献１には、データ送信元としてのホストコンピュータと、送信先としてのワークステーションとの間で行われるデータ転送に関する技術が開示されている。
【０００４】
音声データとそれに関連する画像データ等を携帯型記録再生装置に転送する場合、「データ転送アプリケーションプログラム」を用いて、ＰＣ上のモニタに表示される転送編集ウィンドウで操作を行う。図１８（ａ）に、データ転送アプリケーションプログラムの起動時にＰＣのモニタ上に表示される転送編集ウィンドウの例を模式的に示す。転送編集ウィンドウ４０内には、現在ＰＣに格納している音声データ等をツリー構造で示すツリーリスト４１が設けられる。仮に、コンテンツフォルダ５０にアーティストＡフォルダ５４ａが格納され、アーティストＡフォルダ５４ａに「○○の歌.mp3」の音声データファイルが格納されているとする。ユーザがアーティストＡフォルダ５４ａをクリックするとフォルダが展開され、ファイルリスト４２に「○○の歌.mp3」の各種データが表示される。ユーザは、ファイルリスト４２に表示された「○○の歌.mp3」の表示の左に設けられるチェックボックス４７をチェックする。その後、転送開始ボタン４３を操作することで、「○○の歌.mp3」の音声データファイルが形態型記録再生装置に転送される。
【０００５】
携帯型記録再生装置は、データの転送時にはマスターとしてのＰＣに対してスレイブとしての外部記録媒体となる。このため携帯型記録再生装置のデータ管理は、ＰＣ側で操作することができる。ＰＤ（Portable Device）タブ４６を操作し携帯型記録再生装置のデータ管理画面に切り替えると、図１８（ｂ）に示すように、ツリーリスト４１がＰＤ用ツリーリスト４８の表示に切り替わる。ＰＤ用ツリーリスト４８には、携帯型記録再生装置のデータツリーが表示され、ファイルウィンドウ４２には転送された音声データファイルである「○○の歌.mp3」の曲名及びこのファイルの各種データが表示される。
【０００６】
この音声データファイルに関連する画像データを転送するため、ユーザがポインタ４４をＰＤ用ツリーリスト４８の「○○の歌.mp3」に重畳して右クリックすると（図中、ポインタの「１」参照）、「画像データ設定」の項目を示すサブウィンドウ１１５が現出する。ユーザが「画像データ設定」の項目をクリックすると（図中、ポインタの「２」参照）、画像データ設定編集ウィンドウ１１６が現出する。ユーザは、画像データ指定セル１１７に所定の画像データファイル（既に、ＰＣの記録媒体に記録されている）の指定を行う（図中、ポインタの「３」）。このとき、通常画像データはＰＣ上の記録媒体に記録された画像フォルダ等に格納されている。
ファイル名の指定が終わると、画像データ設定編集ウィンドウ１１６にサンプル画像が表示される。「ＯＫ」ボタン１１８を操作する（図中、ポインタの「４」）ことで所定の画像データファイルが携帯型記録再生装置に転送され、音声データファイル「○○の歌.mp3」と所定の画像データとの対応付けが行われる。以上の操作を経ることで、音声の再生中に、音声データに関連する画像を表示することができる。
【特許文献１】特許第３２０５６４２号公報
【発明の開示】
【発明が解決しようとする課題】
【０００７】
従来技術では、データを転送する際に音声データを転送した後に、改めて画像データをユーザが選択して転送しなければならず、音声データを転送する作業と画像データを転送する作業とを別に行うという手間がかかっていた。特に、携帯型記録再生装置は、ハードディスク等の大容量の記憶容量を持つ記録媒体から構成されるため、管理や編集を行うデータ量も膨大である。このような膨大なデータを転送する際に、逐次音声データと画像データとの転送作業を行うのは、ユーザにとって大きな負担となる虞がある。
【０００８】
本発明の課題は、記録再生装置に音声データを転送する際、その音声データに関連する画像データを簡便且つ自動的に転送することである。
【課題を解決するための手段】
【０００９】
上記課題を解決するために、請求項１に記載の発明は、所定のフォルダ内に格納された音声データから、再生装置に転送する音声データを選択する選択手段と、
前記選択手段により選択された音声データが格納されたフォルダ内に画像データが存在するか否かを判別する判別手段と、
前記判別手段により画像データが存在すると判別された場合に、前記フォルダ内に複数の画像データが存在するか否かを検出する検出手段と、
前記検出手段により複数の画像データが存在すると検出された場合に、予め定められた条件で１つの画像データを抽出する抽出手段と、
前記選択手段により選択された音声データと前記抽出手段により抽出された画像データとを対応付ける対応付け手段と、
前記対応付け手段により対応付けられた音声データ及び画像データを前記再生装置に転送する転送手段と、
を備えることを特徴とする。
【００１１】
請求項２に記載の発明は、請求項１に記載のデータ転送装置であって、
前記抽出手段は、更新日時が最も新しい画像データを抽出することを特徴とする。
【００１２】
請求項３に記載の発明は、請求項１に記載のデータ転送装置であって、
前記抽出手段は、所定のファイル形式の画像データを優先して抽出することを特徴とする。
【００１３】
請求項４に記載の発明は、請求項３に記載のデータ転送装置であって、
前記抽出手段は、前記優先して抽出するファイル形式の画像データが存在しない場合に、更新日時が最も新しい画像データを抽出することを特徴とする。
【００１５】
請求項５に記載の発明は、データ転送装置と、前記データ転送装置に接続された再生装置と、からなるデータ転送再生システムであって、
前記データ転送装置は、
所定のフォルダ内に格納された音声データから、再生装置に転送する音声データを選択する選択手段と、
前記選択手段により選択された音声データが格納されたフォルダ内に画像データが存在するか否かを判別する判別手段と、
前記判別手段により画像データが存在すると判別された場合に、前記フォルダ内に複数の画像データが存在するか否かを検出する検出手段と、
前記検出手段により複数の画像データが存在すると検出された場合に、予め定められた条件で１つの画像データを抽出する抽出手段と、
前記選択手段により選択された音声データと前記抽出手段により抽出された画像データとを対応付ける対応付け手段と、
前記対応付け手段により対応付けられた音声データ及び画像データを前記再生装置に転送する転送手段と、を備え、
前記再生装置は、
前記音声データの再生を行うと共に前記音声データに対応付けられた前記画像データの再生を行う再生処理手段を備えることを特徴とする。
【００１６】
請求項６に記載の発明は、所定のフォルダ内に格納された音声データから、再生装置に転送する音声データを選択するステップと、
前記選択された音声データが格納されたフォルダ内に画像データが存在するか否かを判別するステップと、
前記画像データが存在すると判別された場合に、前記フォルダ内に複数の画像データが存在するか否かを検出するステップと、
前記複数の画像データが存在すると検出された場合に、予め定められた条件で１つの画像データを抽出するステップと、
前記選択された音声データと前記抽出された画像データとを対応付けるステップと、
前記対応付けられた音声データ及び画像データを前記再生装置に転送するステップと、
を含むことを特徴とする。
【００１７】
請求項７に記載の発明は、データ転送装置が、
所定のフォルダ内に格納された音声データから、再生装置に転送する音声データを選択するステップと、
前記選択された音声データが格納されたフォルダ内に画像データが存在するか否かを判別するステップと、
前記画像データが存在すると判別された場合に、前記フォルダ内に複数の画像データが存在するか否かを検出するステップと、
前記複数の画像データが存在すると検出された場合に、予め定められた条件で１つの画像データを抽出するステップと、
前記選択された音声データと前記抽出された画像データとを対応付けるステップと、
前記対応付けられた音声データ及び画像データを前記再生装置に転送するステップと、を実行し、
前記再生装置が、
転送された前記音声データの再生を行うと共に前記音声データに対応付けられた前記画像データの再生を行うステップを実行することを特徴とする。
【００１８】
請求項８に記載の発明は、プログラムであって、コンピュータを、
所定のフォルダ内に格納された音声データから、再生装置に転送する音声データを選択する選択手段、
前記選択手段により選択された音声データが格納されたフォルダ内に画像データが存在するか否かを判別する判別手段、
前記判別手段により画像データが存在すると判別された場合に、前記フォルダ内に複数の画像データが存在するか否かを検出する検出手段、
前記検出手段により複数の画像データが存在すると検出された場合に、予め定められた条件で１つの画像データを抽出する抽出手段、
前記選択手段により選択された音声データと前記抽出手段により抽出された画像データとを対応付ける対応付け手段、
前記対応付け手段により対応付けられた音声データ及び画像データを前記再生装置に転送する転送手段、
として機能させることを特徴とする。
【発明の効果】
【００１９】
本発明によれば、ユーザが他の電子機器に音声データと画像データを転送する場合に、データ転送作業を１回で済ませることができるようになる。特に、音声データと画像データの対応付けを自動的に行うため、両データの対応付け作業も省略することができ、データ転送作業の負担が著しく低減するという効果がある。
また、画像データ抽出手段が画像データを抽出する際、転送する音声データファイルを格納するフォルダと同一のフォルダに格納される画像データファイルを自動的に抽出するため、音声データ及びこれに関連する画像データの管理がしやすいという効果もある。
更に、同一フォルダ内に画像データファイルが複数ある場合には、画像データファイルのファイル形式、画像データファイルの更新日時及び画像データファイルを格納するフォルダのフォルダ名と画像データファイルのファイル名との一致等を基準として、音声データファイルとの対応付け及び転送を行う画像データファイルを自動的に決定する。このため、対応付けや転送を行う画像データファイルを選択（指定）する手間が省け、データ転送作業の負担が更に低減するという効果がある。
【発明を実施するための最良の形態】
【００２０】
次に、図を用いて本発明を実施するための最良の形態について説明する。図１は、本発明を適用したデータ転送システムの構成例を模式的に示したものである。ＰＣ１とポータブル記録再生装置１１とをＵＳＢケーブル７０を介して接続し、音楽データ及び画像データ等を転送することができるようになっている。本実施の形態で適用するＰＣ１は、ＣＤ−ＤＡ等の外部記録媒体７１やインターネット等のネットワーク７２を介して音楽配信サーバ７３から音声データ及びこれに関連する画像データ取得し、所定のデータ処理を行った後、ポータブル記録再生装置１１に音声データ及び画像データを転送するものである。また、外部記録媒体入力部７を設け、ユーザ自身がデジタルカメラ７４等で撮像を行った画像データを音声データとともに転送出力することができるようになっているものである。ポータブル記録再生装置１１は、ハードディスク等の大容量記録媒体を備えた楽曲等の記録再生装置としてのポータブルミュージックプレーヤを適用する。
【００２１】
先ず、ＰＣ１の構成を説明する。図２にＰＣ１の構成を示す。ＰＣ１は、制御部２、ＲＯＭ３、ＲＡＭ４、記録媒体８、ネットワークＩ／Ｆ５、表示部９、操作部１０、外部記録媒体入力部７及びポータブル記録再生装置用Ｉ／Ｆ６から構成され、これらがメインバス１７により電気・電子的に接続されている。
【００２２】
制御部２は、ＣＰＵ（Central Processing Unit）やＭＰＵ（Micro Processing Unit）等の演算装置から構成され、ＰＣ１の全体制御を行う。不揮発性メモリであるＲＯＭ（Read Only Memory）３やハードディスク等から構成される記録媒体８に予め記憶されたオペレーションプログラムやアプリケーションプログラムを読み出し、ワークエリアとしてのＲＡＭ（Random Access Memory）４に展開してこれら各種プログラムの指示に従い各種演算やデータ処理を行う。音声データ等をポータブル記録再生装置１１に転送する転送アプリケーションプログラムもＲＯＭ３乃至は記録媒体８に格納される。
【００２３】
ネットワークＩ／Ｆ５は、ＮＩＣ（Network Inter Face）等から構成され、ＬＡＮ（Local Area Network）、ＭＡＮ（Metroporitan Area Network）、ＷＡＮ（Wide Area Network）又はインターネット等のネットワーク網を介して、所定の通信規約に適応したデータ伝送方式で音楽配信サーバ７３とのデータ通信を行う。なお、無線通信によりネットワーク網と接続しデータ通信を行う構成としてもよい。
【００２４】
外部記録媒体入力部７は、ＣＤやＤＶＤ（Digital Versatile Disc）等から音声データや画像データを読み取る光学式読取装置やデジタルカメラ、カメラ付き携帯電話機あるいはこれらに着脱自在に搭載されるフラッシュメモリ等の記録媒体から画像データ等を入力する接続端子、接続ポート及び接続ドライバから構成される。この外部記録媒体入力部７から入力した画像データを、後述するポータブル記録再生装置１１に転送し、特定の曲に関連付けて再生表示を行うこともできる。
【００２５】
ポータブル記録再生装置用Ｉ／Ｆ６は、ＵＳＢ規格のＩ／Ｆを適用し、ＵＳＢケーブル７０を介してポータブル記録再生装置１１と接続される。音声データ及びこれに関連する画像データ等を転送するものである。なお無線通信手段（例えば、Bluetooth（登録商標）等）をデータ転送に用いる構成としてもよい。
【００２６】
操作部１０は、キーボード、テンキー及びマウス等から構成され、音声データの転送時に、ユーザはこの操作部１０を介して各種の指示信号の入力を行う。また、表示部９にタッチパネルを適用し操作部１０と表示部９とを一体に構成してもよい。
【００２７】
記録媒体８では、音声データと画像データファイルをツリー構造により記録している。
クラシック、ポップス、ロック等の楽曲のカテゴリやアーティスト又はアルバム単位等にフォルダを設け、各フォルダ内に音声データファイル及び画像データファイルを格納する。各フォルダの一例として、図３にアーティストＡの音声データを格納したアーティストＡフォルダ５４ａのツリー構造を模式的に示す。アーティストＡフォルダ５４ａには、音声データファイルとして「01_track1.mp3」６１、「02_track2.mp3」６２、「03_track3.mp3」６３、「04_track4.mp3」６４及びジャケット画像を示す画像データファイル「album.bmp」１００ａが格納される。アーティストＡフォルダ５４ａに格納される各データファイルは、ネットワーク７２等からダウンロードする際に音声データと画像データとを一括でダウンロードしたり、外部記録媒体入力部７から取得したＣＤ−ＤＡ等の音声データに加えて、同じく外部記録媒体入力部７から取得したデジタルカメラ７４の画像をアーティストＡフォルダ５４ａに転送したりすることにより記録されるものである。
【００２８】
図２に戻り、表示部９は、ＴＦＴ（Thin film Transistor）液晶素子や有機ＥＬ（Electro Luminescence）素子を用いたＦＰＤ（Flat Panel Display）から構成される。データ転送アプリケーションプログラムの起動時に各種の操作案内を示すウィンドウを表示するＧＵＩ（Graphic User Inter Face）環境を適用し、ユーザが容易に音声データの転送操作を行うことができる。図４に、「データ転送アプリケーションプログラム」の起動時における転送編集ウィンドウ４０の表示例を示す。転送編集ウィンドウ４０内は、ツリーリスト４１、ファイルリスト４２、転送開始ボタン４３、ＰＣタブ４５及びＰＤ（Portable Device）タブ４６等から構成される。
【００２９】
ツリーリスト４１は、上述した記録媒体８に格納された音声データや画像データを格納するフォルダやファイルのツリー構造を表示する。コンテンツフォルダ５０にクラシックフォルダ５１ａ、ポップスフォルダ５２ａ、ロックフォルダ５３ａ、アーティストＡフォルダ５４ａを格納し、楽曲のカテゴリやアーティスト又はアルバム単位等で分類する。この分類は、ユーザの任意に設定することも可能であるし、特段設定がなされない場合は、記録日時をフォルダ名として自動的に設定するようになっている。
【００３０】
ユーザがマウス等を操作することによりポインタ４４をアーティストＡフォルダ５４ａに重畳しマウスの左クリックを行うことで、フォルダに格納される音声データファイルや画像データファイルのツリーが現出し、これら個々のファイルの各種情報がファイルリスト４２に表示される。図４において、ファイルリスト４２には、アーティストＡフォルダ５４ａに格納される音声データファイル「01_track1.mp3」６１ａ、「02_track2.mp3」６２ａ、「03_track3.mp3」６３ａ、「04_track4.mp3」６４ａ及びこれら音声に関連する画像データとしてジャケット画像を示すデータを格納する画像データファイル「album.bmp」１００ａが示されている。ファイルリスト４２上で表示される情報は、ファイル名、データサイズ及び更新日時である。また、ファイルリスト４２では、各音声データファイルのファイル名称の左側にチェックボックス４７が設けられる。ポータブル記録再生装置１１に転送を所望する音声データファイルを選択するときは、チェックボックスをマウスの左クリックにより「チェック（ＯＮ）」する。
【００３１】
ＰＣタブ４５は、ＰＣ１の記録媒体８に記録されている音声データ及び画像データのツリーリスト４１を表示する際にクリックするタブである。これとは逆に、ＰＤタブ４６は、後述するポータブル記録再生装置１１の記憶媒体１３に既に記憶されている音声データのツリー構造を表示する際にクリックするタブである。ＰＣ１とポータブル記録再生装置１１とがＵＳＢケーブル７０で接続されて、通信可能状態にあるときは、ポータブル記録再生装置１１は、マスターであるＰＣ１に対してほぼスレイブの関係となるため、ＰＣ１上でポータブル記録再生装置１１のデータ管理を行うことができる。このようにＰＣ１上でデータ管理を行う際には、ＰＤタブ４６をクリックし、ポータブル記録再生装置１１のデータ構造を示すＰＤ用ツリーリスト４８に表示を切り替える（図５参照）。図５において、ＰＤ用ツリーリスト４８は、ポータブル記録再生装置１１のデータツリーを示す。音声データフォルダ８０は、クラシックフォルダ５１ｂ、ポップスフォルダ５２ｂ、ロックフォルダ５３ｂ、アーティストフォルダ８１を格納する。更に、アーティストフォルダ８１は、アーティストＡフォルダ５４ｂ、アーティストＢフォルダ５７、アーティストＣフォルダ５８及びアーティストＤフォルダ５９を格納する。ＰＣ１から特定の音声データ（例えば、「01_track1.mp3」）を転送した後は、図に示すごとく、アーティストＡフォルダ５４ｂに格納される状態となる。
また、各音声データに関連する画像データ（「album.bmp」１００ｂ）は、画像データフォルダ１０１に格納される。
【００３２】
図４に戻り、転送開始ボタン４３は、ファイルリスト４２で選択した音声データ及び画像データをポータブル記録再生装置１１に転送する際に使用するボタンである。このとき、制御部２は同一フォルダ内に画像データファイルが存在するか否かを判別し、存在する場合には音声データファイルと画像データファイルとの対応付けを行い、音声データと画像データとを共にポータブル記録再生装置１１に転送する。具体的には、図６（ａ）に示すように、音声データファイルは、ファイルの格納アドレスやファイル名称並びにファイル形式に関する情報を記録したヘッダー部９０と楽曲自体のデータである実データ部９５から構成されている。このヘッダー部９０に画像データファイルの格納場所を示すアドレスやファイル名称並びにファイル形式等の情報を示す画像データファイル情報９２を記録することにより音声データと画像データとの対応付けが行われる。アドレスやファイル名等を記録した状態の音声データファイルの構造を図６（ｂ）に模式的に示す。
なお、音声データファイルと画像データファイルとの対応関係を示すテーブルを設けて、このテーブルを参照して各データの対応関係を認識する構成としてもよい。
【００３３】
次に、図７を用いてポータブル記録再生装置１１の構成を説明する。ポータブル記録再生装置１１は、制御ユニット１２、記憶媒体１３、表示部１４、外部Ｉ／Ｆ１６及び操作部１５から構成され、ＰＣ１１から転送入力される音声データ及び画像データを記録及び再生することができるものである。
【００３４】
制御ユニット１２は、ＣＰＵ２０、ＲＯＭ２１、ＲＡＭ２２、音声処理部２３、アンプ部２４及び割込みコントローラ２５から構成される。
ＣＰＵ２０は、記憶媒体１３及び／又はＲＯＭ２１に予め記憶されたオペレーションプログラム及び音声／画像再生アプリケーションプログラムを読み出し、ワークエリアとしてのＲＡＭ２２に展開し全体制御を行う。また、ＵＳＢ規格を採用する外部Ｉ／Ｆ１６にＵＳＢケーブル７０が接続され通電状態を検出すると、ＲＯＭ２１又は記憶媒体１３に記憶された「転送データ受信アプリケーションソフトウェア」をＲＡＭ２２に展開して、ＰＣ１から転送される音声データ及び画像データを受信し記憶媒体１３に記憶する。
【００３５】
記憶媒体１３は、ハードディスク等の電気的・磁気的なメモリやＥＥＰＲＯＭ（Electrical Erasable Programmable ROM）等の不揮発の半導体メモリから構成される。記憶媒体１３に記録することができ且つＣＰＵ２０及び音声再生アプリケーションプログラムで再生処理可能なファイル形式は適宜設定可能であるが、本実施の形態では、音声データとして代表的な形式であるＷＡＶＥ形式を適用しており、ＭＰ３やＷＭＡ等の圧縮音声データ形式にも対応するように構成されている。また、画像データのファイル形式の設定によりＪＰＥＧ、ＰＮＧ、ＴＩＦＦ、ＧＩＦ等の種々の形式が適用可能であるが、本実施の形態ではＢＭＰ（Bit MaP）形式のファイルを処理可能に構成するものとする。
また、データの記憶容量は適用する記憶媒体により任意に設定可能である（例えば、最大で２０ギガバイト又はそれ以上。音声データで換算すると、１曲が４分の曲をＷＭＡ（Windows（登録商標） Media Audio）形式（６４ｋｂｐｓ）で記憶した場合、１００００曲又はそれ以上の音声データを収録することができる構成としている）。
【００３６】
記録された音声データ及びこれに関連する画像データは、図５に示すように、音声データはカテゴリ毎に分類されたフォルダに格納されている。画像データは画像データフォルダ１０１に格納され、各音声データとの対応付けが行われている。音声データの再生が行われると、この音声データに対応付けられた画像データが同時にＣＰＵ２０に読み込まれ、表示部１４に画像が表示される。
【００３７】
音声処理部２３は、音源ＬＳＩ（Large Scale Integration）等の音源装置から構成される。ＣＰＵ２０の指示信号に基づきＣＰＵ２０から出力される音声データ乃至は記憶媒体１３からＤＭＡ転送される音声データのデジタル音声再生処理を行う。その後、Ｄ／Ａ変換器（不図示）を介しアナログ音声信号を生成してアンプ部２４に出力する。アンプ部２４はＣＰＵ２０の指示信号に基づいてゲイン調節を行い、音声処理部２３から出力されたアナログ音声信号を増幅してイヤホン２７Ｌ及び２７Ｒに出力を行う。
【００３８】
割込みコントローラ２５は、操作部１５から信号が入力されると割込み信号を生成しＣＰＵ２０に出力する。操作部１５から入力される信号は、例えば、ボリュームアップ、ボリュームダウン、電源のＯＮ／ＯＦＦ、各種アプリケーションの起動を指示するメニュー選択信号、各種アプリケーションの表示部１４上での操作に伴うカーソルの移動／選択等である。
また、操作部１５から入力される信号は図示しないＡ／Ｄコンバータを介してデジタイズされ、ＲＯＭ２１に入力される。ＲＯＭ２１には、デジタイズされた入力信号に対応する操作信号テーブルが予め記憶されており、ＣＰＵ２０は、割込みコントローラ２５から出力された割込み信号を検出すると、操作信号テーブルを参照し、入力された信号に対する各部への指示制御を行う。
【００３９】
表示部１４は、ＴＦＴ（Thin film Transistor）液晶素子や有機ＥＬ（Electro Luminescence）素子を用いたＦＰＤ（Flat Panel Display）から構成される。起動画面、再生する音声データの選択、各種機能設定時の案内の表示を行うとともに、音声データ再生中にその音声データに関連する画像データの表示を行うものである。本実施の形態では、ＣＰＵ２０、ＲＡＭ２２及び「音声等再生プログラム」の協働により画像処理を行い、図示しない表示駆動装置に画像データを出力し、ラスタライズ等が行われた画像信号を表示部１４に供給する構成としている。また、画像データとして動画像を表示する場合は、ＤＳＰやグラフィックメモリを設け、画像処理プロセッサを別に構成するのが好ましい。
【００４０】
ポータブル記録再生装置１１のユーザインターフェースとしての操作部１５は、電源／メニューキー３０、ボリュームアップ（以下、「Ｖｏｌ.ＵＰ」とする。）キー３６、ボリュームダウン（以下、「Ｖｏｌ.ＤＯＷＮ」という。）キー３７及び決定キー３５並びに上キー３１、左キー３２、下キー３３、右キー３４から構成される十字キーが設けられる。これらキーは、文字通り音量の上げ下げ、電源のＯＮ／ＯＦＦ、各種メニュー選択、選択の決定、表示画面上での各種設定操作におけるカーソルの移動等の操作信号を出力するものである。特に上キー３１、左キー３２、下キー３３及び右キー３４は、二重タクトキー等の多段スイッチから構成されており、音声データ再生時に半押しをすることで曲のスキップ、全押しでトラックのジャンプ等の入力ができるように構成されている。ポータブル記録再生装置の携帯性に鑑み、片手で操作しやすい構成とされている。なお、タッチパネルを適用し表示部１４と一体に構成することも当然に可能であるし、操作部の表面端部近傍にＬＥＤ（Light Emitting Diode）発光部とその受光部を対向して設け、指が操作部表面で所定の方向を撫でることにより遮光された赤外線の座標を演算して操作指示信号に変換する構成としてもよいし、ＬＥＤに代えて電磁作用を利用した静電基板を適用する構成としてもよい。
【００４１】
次に、ＰＣ１のデータ転送における動作について、図８のフロー図を用いて説明する。なお、以下の処理は、「データ転送アプリケーションプログラム」に従って、制御部２により行われるものである。
【００４２】
ユーザが、ＰＣ上で「データ転送アプリケーションプログラム」を起動すると、制御部２は図４に示す転送編集ウィンドウ４０を表示部９に表示し、ツリーリスト４１に、現在記録媒体８に格納されているフォルダ等の一覧を表示する（ステップＳ１０１）。
【００４３】
ユーザによりアーティストＡフォルダ５４ａが選択され、ファイルリスト４２に表示した音楽データファイル群から所定の音楽データファイル（例えば、「01_track1.mp3」６１ａ）のチェックボックスをチェックして転送開始ボタン４３がクリックされると、転送開始指示信号を検出する（ステップＳ１０２）。
【００４４】
ステップＳ１０２にて、転送開始指示信号を検出すると、アーティストＡフォルダ００に画像データファイルが存在するか否かを判別する（ステップＳ１０３）。
ステップＳ１０３にて、画像データファイルを検出（本実施の形態では「album.bmp」１００ａが格納されている。）すると（ステップＳ１０３：ＹＥＳ）、音声データファイルのヘッダー部９０に、「album.bmp」１００ａのファイル名、データ形式等の画像データファイル情報９２を記録して、両データファイルの対応付けを行う（ステップＳ１０４）。
なお、ステップＳ１０３で画像データファイルが存在しないと判断する場合には（ステップＳ１０３：ＮＯ）、ステップＳ１０５に進む。
【００４５】
次いで、「01_track1.mp3」６１ａと「album.bmp」１００ａとのデータファイルをポータブル記録再生装置１１に転送し、記憶媒体１３に書き込みを行う（ステップＳ１０５）。なお、画像データファイルが存在しない場合には（ステップＳ１０３：ＮＯ）、音声データファイルのみを転送して書き込む。
【００４６】
その後、画像データファイル又は音声データファイルのＥＯＤ（End Of File）を検出することにより（ステップＳ１０６：ＹＥＳ）データ転送処理を終了する。
【００４７】
一方、音声データや画像データの転送を受けたポータブル記録再生装置１１は、音声再生処理において以下に示す動作を行う。図９に音声再生処理の処理手順を示す。なお、音声再生処理は、プログラムの指示に従いＣＰＵ２０が制御するものである。
【００４８】
ユーザにより電源／メニューキー３０が押下され、ポータブル記録再生装置１１のシステムが起動する。ユーザが音声再生メニューを選択すると、図１０（ａ）に示すように、表示部１４に現在記憶媒体１３に格納されているデータを格納するフォルダリスト画面９６を表示する（ステップＳ２０１）。
【００４９】
フォルダリスト画面９６は、アーティスト名や音楽ジャンル等のカテゴリ別に項目が分類されて表示されており、ユーザが上キー３１又は下キー３３を操作することでカーソル９９を移動させ、所望するカテゴリのフォルダを選択して決定キー３５を押下する（例えば、アーティスト名のフォルダを選択したとする。）ことで選択指示信号を受信し（ステップＳ２０２）、図１０（ｂ）に示すようなアーティスト名（Ａ〜Ｄ）毎に分類されたアーティストフォルダ一覧画面９７を表示する（ステップＳ２０３）。
【００５０】
このうちアーティストＡフォルダ５４ｂが選択されると選択指示信号を受信し（ステップＳ２０４）、図１０（ｃ）に示すように、格納している音声データファイルの一覧画面９８を表示する（本実施の形態では「01_track1.mp3」６１ｂの音声データファイルが格納されている旨を示す画面を表示する。）（ステップＳ２０５）。なお、このとき画像データファイル「album.bmp」１００ｂは（表示部１４上には表示されないが）音声データファイル「01_track1.mp3」６１ｂと対応付けられた状態である。
【００５１】
ユーザが「01_track1.mp3」６１ｂの音声データファイルにカーソル９９を移動させ（本例では音声データファイルが１つしかないので既にカーソル９９は「01_track1.mp3」６１ｂに合わせられている）、決定キー３５が押下されることにより選択指示信号を受信し（ステップＳ２０６）、「01_track1.mp3」６１ｂのヘッダー部９０に画像データファイル情報９２が存在するか否かを判別する（ステップＳ２０７）。
【００５２】
ステップＳ２０７で画像データファイル情報９２が存在する場合には（ステップＳ２０７：ＹＥＳ）、該当する画像データファイル（「album.bmp」１００ｂ）を読み込み、画像の再生処理を開始する（ステップＳ２０８）。また、それと同時に音声データの実データ部９５を読み込み、音声の再生処理を行う（ステップＳ２０９）。なお、ステップＳ２０７で画像データファイル情報９２が存在しない場合には（ステップＳ２０６：ＹＥＳ）、ステップＳ９に進み音声データの再生処理のみを行う。
【００５３】
その後、音声データの再生処理において、「01_track1.mp3」６１ｂのＥＯＤを検出すると（ステップＳ２１０）、音声データ及び画像データ（画像データファイルが無い場合には音声データのみ）の再生処理を終了する（Ｓ２１１）。
【００５４】
以上、本発明を適用したデータ転送システムによれば。ＰＣ１からポータブル記録再生装置１１に音声データとそれに関連する画像データを転送する際に、ユーザが転送を所望する音声データのみを転送すれば自動的に画像データも転送ができる。このため、従来１つのデータ毎に行っていた転送操作を１回の操作で行うことができるようになりデータ転送操作が簡便となる。
【００５５】
また、近年ネットワークを介した音楽配信サービスでは、音声データとともにジャケット等の画像データをダウンロードするのが主流になりつつある。このような場合でも、ユーザのＰＣスキルに左右されることなくポータブル記録再生装置１１での画像と音楽の視聴が容易に行うことができるようになる。特に、ポータブル記録再生装置１１は、大容量の記憶媒体１３を有するため収録できる曲数も膨大となる。これら１つ１つの音声データに対し関連する画像データを逐次転送する操作を要するとするとユーザの負担が過大となる。本実施の形態におけるデータ転送システムを適用することでこれら課題を解決することができる。
【００５６】
以上、本発明を実施するための最良の実施形態について説明したが、本発明は上記種々の例に限定されるものでは無い。特に、上記例ではＰＣ１からポータブル記録再生装置１１にデータを転送する際、アーティストＡフォルダ５４ａ内に画像データファイルが存在するか否かの処理を行うが（データ転送処理のステップＳ１０３。図８参照）、同一フォルダ内に画像データファイルを複数検出する場合や、これら検出した画像データファイルのファイル形式の種類を複数検出する場合にも適用することができる。以下、これらの場合について変形例１〜３として説明する。
【００５７】
〔変形例１〕
図１１に、音声データに関連する画像データが複数存在する場合のツリー構造を模式的に示す。本例では、アーティストＡフォルダ５４ａ内に音声データファイル６１ａ〜６４ａ及び画像データファイル「album.bmp」１００ａに加えて、ユーザ自身がデジタルカメラ７４等で撮像してＰＣ１に取り込んだユーザ画像「001.bmp」１０２、アーティストＡのプロフィール等を示す画像データを格納する画像データファイルである「artist.bmp」１０３、各種の広告等を示す画像データを格納する画像データファイルである「folder.bmp」１０４や「genre.bmp」１０５を格納する。
この場合は最も若い画像データファイル即ち更新日時がもっとも近時の画像データファイル等を選択するようにすることもできる。
図１２に、処理手順を表したフロー図を示す。転送する音声データファイルは「01_track1.mp3」６１ａとし、「genre.bmp」１０５がもっと更新日時が新しい画像データファイルとする。
【００５８】
ユーザの操作によりツリーリスト４１に、現在記録媒体８に格納されているフォルダ等の一覧を表示する（ステップＳ３０１）。
【００５９】
ユーザによりアーティストＡフォルダ５４ａが選択され、ファイルリスト４２に表示した「01_track1.mp3」５４ａが選択され、転送開始指示信号を検出する（ステップＳ３０２）。
【００６０】
ステップＳ３０２にて、転送開始指示信号を検出すると、アーティストＡフォルダ５４ａに画像データファイルが存在するか否かを判別する（ステップＳ３０３）。
【００６１】
ステップＳ３０３で画像データファイルが存在すると判別する場合（ステップＳ３０３：ＹＥＳ）、検出した画像データファイルが１より多いか否かを検出し（ステップＳ３０４）、画像データファイルを複数検出すると（ステップＳ３０４：ＹＥＳ）、各画像データファイルの更新日時情報を参照し、最も更新日時の新しいものを抽出する（本例では「genre.bmp」１０５を抽出しする。：ステップＳ３０５）。
なお、ステップＳ３０４で画像データファイルが１である場合（ステップＳ３０４：ＮＯ）は、ステップＳ３０６に進む。
【００６２】
ステップＳ３０５で最も更新日時の新しい「genre.bmp」１０５を抽出した後、音声データファイルのヘッダー部９０に、「genre.bmp」１０５のファイル名、データ形式等の画像データファイル情報９２を記録して（図５ｂ参照）、両データファイルの対応付けを行う（ステップＳ３０６）。
【００６３】
次いで、「01_track1.mp3」６１ａと「genre.bmp」１０５とのデータファイルをポータブル記録再生装置１１に転送し、記憶媒体１３に書き込みを行う（ステップＳ３０７）。なお、画像データファイルが存在しない場合には（ステップＳ３０３：ＮＯ）、音声データファイルのみを転送して書き込む。
【００６４】
その後、画像データファイル又は音声データファイルのＥＯＤ（End Of File）を検出することにより（ステップＳ３０８：ＹＥＳ）データ転送処理を終了する。
【００６５】
以上のように、同一ファイル内に複数の画像データファイルがある場合でも、所定の画像データファイルとの対応付けを自動的に行い、データの転送を簡便に行うことができる。
【００６６】
〔変形例２〕
本例では、同一フォルダ内に複数の画像データが存在し、且つ各画像データフォルダのファイル形式が異なる場合について説明する。近年の高度複雑化する情報通信の分野では、種々のファイル形式のデータ、ソフトウェア及びハードウェアが混在する。このため、ハードウェアの対応ファイル形式に対応させるため、同一データを複数のファイル形式で配信する機会もある。
図１３に、アーティストＡフォルダ５４ａのツリー構造を示す。画像データフォルダの実データは全てジャケットの画像を示す画像データであるが、ファイル形式が「album.bmp」１００ａはＢＭＰ形式、「album.jpg」１０６はＪＰＥＧ形式、「album.png」１０７はＰＮＧ形式とそれぞれ異なる。このような場合は、例えば、所定のファイル形式の画像データファイルを優先する構成とする。
図１４に、処理手順を表したフロー図を示す。なお、優先するファイル形式をＢＭＰ形式とする。
【００６７】
ユーザの操作によりツリーリスト４１に、現在記録媒体８に格納されているフォルダ等の一覧を表示する（ステップＳ４０１）。
【００６８】
ユーザによりアーティストＡフォルダ５４ａが選択され、ファイルリスト４２に表示した「01_track1.mp3」６１ａが選択され、転送開始指示信号を検出する（ステップＳ４０２）。
【００６９】
ステップＳ４０２にて、転送開始指示信号を検出すると、アーティストＡフォルダ５４ａに画像データファイルが存在するか否かを判別する（ステップＳ４０３）。
【００７０】
ステップＳ４０３で画像データファイルが存在すると判別する場合（ステップＳ４０３：ＹＥＳ）、検出した画像データファイルが１より多いか否かを検出し（ステップＳ４０４）、画像データファイルを複数検出すると（ステップＳ４０４：ＹＥＳ）、各画像データファイルのファイル形式を示す拡張子を参照してＢＭＰ形式のファイルを検出する（ステップＳ４０５）。
【００７１】
ここで、ＢＭＰファイルが存在する場合（ステップＳ４０６：ＹＥＳ）、ステップＳ４０７に進む（本例ではＢＭＰ形式である「album.bmp」１００ａを抽出する：ステップＳ４０５）。また、ＢＭＰファイルがない場合、所定のルール（本例では、最も更新日時の新しい画像データファイルと音声データファイル「01_track1.mp3」６１ａとの対応付けを行う構成とする（ステップＳ４１０）。）に従い音声データファイルと画像データファイルとの対応付けを行い（ステップＳ４１０）その後ステップＳ４０８に進む構成とする。
なお、ステップＳ４０４で画像データファイルが１である場合（ステップＳ４０４：ＮＯ）は、アーティストフォルダＡ５４ａ内に存在する１つの画像データファイルと音声データファイル「01_track1.mp3」６１ａとの対応付けを行う（ステップＳ４１１）
【００７２】
ステップＳ４０６でＢＭＰ形式のファイル形式である「album.bmp」１００ａを抽出した後、音声データファイルのヘッダー部９０に、「album.bmp」１００ａのファイル名、データ形式等の画像データファイル情報９２を記録して（図６（ｂ）参照）、両データファイルの対応付けを行う（ステップＳ４０７）。
【００７３】
次いで、「01_track1.mp3」６１ａと「album.bmp」１００ａとのデータファイルをポータブル記録再生装置１１に転送し、記憶媒体１３に書き込みを行う（ステップＳ４０８）。なお、画像データファイルが存在しない場合には（ステップＳ４０８：ＮＯ）、音声データファイルのみを転送して書き込む。
【００７４】
その後、画像データファイル又は音声データファイルのＥＯＤ（End Of File）を検出することにより（ステップＳ４０９：ＹＥＳ）データ転送処理を終了する。
【００７５】
以上のように、同一ファイル内にファイル形式の異なる複数の画像データファイルがある場合でも、所定の画像データファイルとの対応付けを自動的に行い、データの転送を簡便に行うことができる。
なお、ＢＭＰ形式の画像データファイルを２つ以上検出する場合は、変形例１のような更新日時での判断をも更に行う構成とするとよい。
【００７６】
〔変形例３〕
本例では、画像データファイルが１つしか格納されていないが、ポータブル記録再生装置１１で未対応のファイル形式である場合を説明する。
図１５に示すごとく、アーティストＡフォルダ５４ａに格納される画像データファイルは、「album.png」１０７のみであり、ＰＮＧ形式のファイル形式である（ポータブル記録再生装置１１は、ＢＭＰ形式にしか対応していないものとする。）
この場合は、所望するファイル形式の画像データフォルダを生成（変換）する「ファイル形式変換ソフトウェアプログラム」をＰＣ１に更に備える構成とする。
図１６に、処理手順を表したフロー図を示す。
【００７７】
ユーザの操作によりツリーリスト４１に、現在記録媒体８に格納されているフォルダ等の一覧を表示する（ステップＳ５０１）。
【００７８】
ユーザによりアーティストＡフォルダ５４ａが選択され、ファイルリスト４２に表示した「01_track1.mp3」６１ａが選択され、転送開始指示信号を検出する（ステップＳ５０２）。
【００７９】
ステップＳ５０２にて、転送開始指示信号を検出すると、アーティストＡフォルダ６１ａに画像データファイルが存在するか否かを判別する（ステップＳ５０３）。
【００８０】
ステップＳ５０３で画像データファイルが存在すると判別する場合（ステップＳ５０３：ＹＥＳ）、画像データファイルのファイル形式を示す拡張子を参照し、ＢＭＰ形式であるかの判別を行う（ステップＳ５０４）。本例では画像データフォルダはＰＮＧ形式であるので、ステップＳ５０５に進む（ステップＳ５０４：ＮＯ）。
【００８１】
ステップＳ５０５では、「ファイル形式変換ソフトウェアプログラム」を記録媒体８から読み出し起動して、「album.png」１０７からＢＭＰ形式の画像データファイルである「album.bmg」（不図示）の画像データファイルを生成（変換）する（ステップＳ５０６）。
その後、音声データファイルのヘッダー部９０に、「album.bmp」（不図示）のファイル名、データ形式等の画像データファイル情報９２を記録して（図６参照）、両データファイルの対応付けを行う（ステップＳ５０７）。
【００８２】
次いで、「01_track1.mp3」６１ａと「album.bmp」（不図示）とのデータファイルをポータブル記録再生装置１１に転送し、記憶媒体１３に書き込みを行う（ステップＳ５０８）。なお、画像データファイルが存在しない場合には（ステップＳ５０３：ＮＯ）、音声データファイルのみを転送して書き込む。
【００８３】
その後、画像データファイル又は音声データファイルのＥＯＤ（End Of File）を検出することにより（ステップＳ５０８：ＹＥＳ）データ転送処理を終了する。
【００８４】
以上のように、同一ファイル内にポータブル記録再生装置１１で未対応のファイル形式の画像データファイルがある場合でも、ポータブル記録再生装置１１で再生可能なファイル形式の画像データファイルを生成し且つ所定の画像データファイルとの対応付けを自動的に行い、データの転送を簡便に行うことができる。
なお、本例では、当初のＰＮＧ形式のファイルがＰＣ１の記録媒体８に同時に保存されるため、別の機会にＰＮＧ形式に対応するハードウェアにデータ転送することもできるという利点がある。更に、ファイル形式が複数混在する現状において、音声データ等の配信側が、１つのファイル形式で画像データを配信しても対応するファイル形式の異なるハードウェアでの再生を行わせることができ、配信データに汎用性を持たせることができるるという利点もある。
【図面の簡単な説明】
【００８５】
【図１】本発明を実施するための最良の形態におけるＰＣ装置及びＰＣに取り込む音声データ等の取得先並びに取得した音声データ等の転送先であるポータブル再生装置からなるデータ転送システムの構成を示した概要図である。
【図２】図１に示すＰＣ装置の機能的構成を示したブロック図である。
【図３】図２に示すＰＣ装置の記録媒体に格納される音声データ及び画像データのツリー構造を示した模式図である。
【図４】図２に示すＰＣ装置で「データ転送アプリケーションプログラム」を起動した際に、表示部に表示される転送編集ウィンドウを示した模式図である。
【図５】図２に示すＰＣ装置で「データ転送アプリケーションプログラム」を起動した際に、表示部に表示される転送編集ウィンドウの他の態様を示した模式図である。
【図６】図６（ａ）は、図２に示すＰＣ装置での音声データのデータ構造の例を示した模式図である。図６（ｂ）は、図２に示すＰＣ装置での音声データ及び画像データの対応付けを行った際のデータ構造の例を示した模式図である。
【図７】図１に示す、ポータブル記録再生装置の機能的構成を示したブロック図である。
【図８】図２に示すＰＣ装置のデータ転送手順を示したフロー図である。
【図９】図７に示す、ポータブル記録再生装置のデータ再生処理手順を示したフロー図である。
【図１０】図１０（ａ）は、図７に示す、ポータブル記録再生装置でデータ再生処理を行う際に、表示部に表示される画面の例を示した模式図である。図１０（ｂ）は、図７に示す、ポータブル記録再生装置でデータ再生処理を行う際に、表示部に表示される画面の例を示した模式図である。図１０（ｃ）は、図７に示す、ポータブル記録再生装置でデータ再生処理を行う際に、表示部に表示される画面の例を示した模式図である。
【図１１】本発明を実施するための最良の形態における変形例１での音声データ及び画像データのツリー構造を示した模式図である。
【図１２】本発明を実施するための最良の形態における変形例１でのデータ転送処理を示したフロー図である。
【図１３】本発明を実施するための最良の形態における変形例２での音声データ及び画像データのツリー構造を示した模式図である。
【図１４】本発明を実施するための最良の形態における変形例２でのデータ転送処理を示したフロー図である。
【図１５】本発明を実施するための最良の形態における変形例３での音声データ及び画像データのツリー構造を示した模式図である。
【図１６】本発明を実施するための最良の形態における変形例４でのデータ転送処理を示したフロー図である。
【図１７】従来からの携帯型記録再生装置の外観を示した概要図である。
【図１８】図１８（ａ）は、従来からの音声データ等の転送アプリケーションソフトウェアの操作ウィンドウを示した模式図である。図１８（ｂ）は、音声データに画像データを転送及び対応付ける操作を行う場合の操作ウィンドウを示した模式図である。
【符号の説明】
【００８６】
１  ＰＣ
２  制御部
３  ＲＯＭ
４  ＲＡＭ
５  ネットワークＩ／Ｆ
６  ポータブル記録再生装置用Ｉ／Ｆ
７  外部記録媒体入力部
８  記録媒体
９  表示部
１０  操作部
１１  ポータブル記録再生装置
１２  制御ユニット
１３  記憶媒体
１４  表示部
１５  操作部
１６  外部Ｉ／Ｆ
１７  メインバス
１８  電源
２０  ＣＰＵ
２１  ＲＯＭ
２２  ＲＡＭ
２３  音声処理部
２４  アンプ部
２５  割込みコントローラ
２７Ｒ、２７Ｌ  イヤホン
３０  電源／メニューキー
３１  上キー
３２  左キー
３３  下キー
３４  右キー
３５  決定キー
３６  Ｖｏｌｕｍｅ  Ｕｐキー
３７  Ｖｏｌｕｍｅ  Ｄｏｗｎキー
４０  転送編集ウィンドウ
４１  ツリーリスト
４２  ファイルリスト
４３  転送開始ボタン
４４  ポインタ
４５  ＰＣタブ
４６  ＰＤタブ
４７  チェックボックス
４８  ＰＤ用ツリーリスト
５０  コンテンツフォルダ
５１ａ、５１ｂ  クラシックフォルダ
５２ａ、５２ｂ  ポップスフォルダ
５３ａ、５３ｂ  ロックフォルダ
５４ａ、５４ｂ、５４ｃ  アーティストＡフォルダ
６１ａ、６１ｂ  「01_track1.mp3」ファイル
６２ａ、６２ｂ  「02_track2.mp3」ファイル
６３ａ、６３ｂ  「03_track3.mp3」ファイル
６４ａ、６５ｂ  「04_track4.mp3」ファイル
７０  ＵＳＢケーブル
７１  外部記録媒体
７２  ネットワーク
７３  音楽配信サーバ
７４  デジタルカメラ
８０  音声データファイル
８１  アーティストファイル
９０  ヘッダー部
９１  ヘッダー
９２  画像データファイル情報
９５  実データ部
９６  フォルダリスト画面
９７  アーティストフォルダ一覧画面
９８  音声データファイルの一覧画面
９９  カーソル
１００ａ、１００ｂ  「album.bmp」ファイル
１０１  画像データフォルダ
１０３  「artist.bmp」ファイル
１０４  「folder.bmp」ファイル
１０５  「genre.bmp」ファイル
１０６  「album.jpg」ファイル
１０７  「album.png」ファイル
１１０  携帯型記録再生装置
１１１  表示モニタ
１１２  「○○の歌」
１１３  「アーティストＡ」
１１５  サブウィンドウ
１１６  画像データ設定編集ウィンドウ
１１７  画像データ指定セル
１１８  ＯＫボタン
【図１】
0004710600.tif 000002
【図２】
0004710600.tif 000003
【図３】
0004710600.tif 000004
【図４】
0004710600.tif 000005
【図５】
0004710600.tif 000006
【図６】
0004710600.tif 000007
【図７】
0004710600.tif 000008
【図８】
0004710600.tif 000009
【図９】
0004710600.tif 000010
【図１０】
0004710600.tif 000011
【図１１】
0004710600.tif 000012
【図１２】
0004710600.tif 000013
【図１３】
0004710600.tif 000014
【図１４】
0004710600.tif 000015
【図１５】
0004710600.tif 000016
【図１６】
0004710600.tif 000017
【図１７】
0004710600.tif 000018
【図１８】
0004710600.tif 000019